(57)【要約】【課題】  作業効率を上げることができる電動工具を提供する。【解決手段】  シェルボディ１０を有する。駆動装置２０は、シェルボディ１０内に設けられ、モーター２１及びモーター２１の出力端に連接された変速ギヤユニット２２を有する。ツール挟み持ち装置３０は、ツールを挟み持つのに用いられ、駆動装置２０に連接され、駆動装置２０から動きが伝えられて回転する。電池蓋４０は、取り外し可能な方式でシェルボディ１０上に接して設けられ、駆動装置２０に電源を供給する。光投射装置は、線形の光の投影を投射可能であり、シェルボディ１０上に設けられ、光の投射方向はツール挟み持ち装置３０の挟み持つツールの指向に向う。これにより、使用者は、光投影に沿って作業を進めることができる。【選択図】    図１
0003109627.tif 000002
【実用新案登録請求の範囲】
【請求項１】
シェルボディを備え、
駆動装置は、シェルボディ内に設けられていて、モーター及びモーター出力端に連接された変速ギヤユニットを有し、
ツール挟み持ち装置は、ツールを挟み持つのに用いられ、挟み持ち装置は駆動装置に連接され、これにより、駆動装置から動きが伝えられて回転し、
電池蓋は、取り外し可能な方式でシェルボディ上に接して設けられ、駆動装置に電源を供給するのに用いられ、
光投射装置は、平面上に於いて線形の光を投射可能であり、投射装置はシェルボディ上に設けられ、光の投射方向はツール挟み持ち装置の挟み持つツールの指向に向うものであることを特徴とする電動工具。
【請求項２】
シェルボディは、部品収容部と、電池接合部と、それぞれ部品収容部及び電池接合部と連接されたグリップ部とを有し、部品収容部は駆動装置のモーター及び変速ギヤユニットを収容するのに用いられ、それは相対する前端及び後端を有し、ツール挟み持ち装置は一部分が部品収容部内に於いて変速ギヤユニットの出力端と連接されていて、残りの部分が前端に挿入され、光投射装置は部品収容部の後端に設けられていることを特徴とする請求項１記載の電動工具。
【請求項３】
光投射装置は、シェルボディの動く方式に相まって、部品収容部の後端に設けられていることを特徴とする請求項２記載の電動工具。
【請求項４】
部品収容部の後端は、円形の開き口を有しており、部品収容部の内壁上に接近する第二の開き口のところに位置決めばね片を設けて有しており、位置決めばね片上には更に凸部を有し、光投射装置はベース部を有し、ベース部は円柱状の首部及び円柱状の位置決め部を有し、首部の直径は位置決め部の直径よりも小さく、位置決め部は周壁上に於いて等間隔に分布されて凹み設けられた４個の位置決め溝を有し、ベース部は首部で以って部品収容部の開き口上に結合され、位置決め部は部品収容部内に位置し、その周壁は位置決めばね片の凸部を押し、これにより、ベース部はシェルボディ上に於いて連続回転可能であり、位置決め部上の位置決め溝は位置決めばね片の凸部と結合していて、ベース部は９０度回転する毎にシェルボディと位置決め効果を生み出すことを特徴とする請求項３記載の電動工具。
【請求項５】
光投射装置は、更に結合ベース及びレーダー発射器を有し、レーダー発射器は発射することにより平面上に於いて線形の光の投影の面状の光の束を形成可能であり、それは結合ベース上に設けられ、結合ベースはベース部の２個の同じでない位置上に於いて結合可能であることを特徴とする請求項４記載の電動工具。
【請求項６】
ベース部は、更にメインボディを有しており、部品収容部の外部に位置しており、首部がメインボディと位置決め部に連接されていて、メインボディ上には結合溝を有し、結合ベースは結合ボディと結合ボディの側部に位置している収容ボディとを含み、結合ボディは結合面を有し、結合面上には突起した結合凸部を有しており、結合溝の中に於いて結合可能であり、収容ボディはレーダー発射出口を有していて、発射出口の向く方向は結合面の向く方向と同じであり、レーダー発射器は収容ボディ内に設けられ、レーダー灯と、レーダー発射出口のところに設けられている一組の偏光レンズと、結合ボディ内に設けられている電気回路板及び一組の電池ユニットと、結合ボディ上に設けられているプッシュ式スイッチとを有し、偏光レンズユニットはレーダー灯が生み出すレーダー光を偏折して面状の光の束を発射出口から射出するのに用いられ、その光の束が平面に投射されるとき、線状の光を投影することを生み出すことが可能であり、光投射装置は更に第一組の磁石ユニット及び第二組の磁石ユニットを含み、第一組の磁石ユニットは大きな磁石及び小さな磁石を含み、それぞれ結合ボディ上に於いてそれぞれが結合凸部の凸面上から露出した接触面より埋め込まれ、２組の磁石ユニットはメインボディに於いて結合ボディ上の配列方式が相反し、このように結合ベースの結合凸部は結合溝の中で結合され、第一組の磁石ユニットの大小の磁石は第二組の磁石ユニットの小大の磁石とお互いに引きつけあい、結合ベースをベース部上で結合させ、結合ベースの収容ボディはメインボディの一側に位置していて、レーダー発射出口の方向は電動工具のツール挟み持ち装置の挟み持つツールの指す方向となり、光投射装置の結合ベースはベース部上より取り外し可能であり、収容ボディの方向に向って一つの距離を横移動させることで、第二組の磁石ユニットの大きな磁石を第一組の磁石ユニットの大きな磁石に照準させ、結合ベースがベース部上に於いて結合され、収容ボディとシェルボディとの間には適当な距離が生まれ、レーダー発射器の発射する面状の光の束がシェルボディによる遮断を回避可能であることを特徴とする請求項２記載の電動工具。
【考案の詳細な説明】
【技術分野】
【０００１】
本考案は、電動工具に関連があり、特に、一つの光投射装置を有するものであり、また、電動工具の前方の一つの作業面上に一つの線形の光の投影を射出することができ、光投影によって作業を進めることができる電動工具である。
【背景技術】
【０００２】
御存知のように、壁面或いは物体上に於いて一つの直線路経配列に沿って孔をドリルしたい場合、まず壁面或いは物体上に於いて一つの直線を描くことが必要で、それでもって直線に沿って予め定められた間隔で壁面或いは物体上にドリル孔を電気ドリルする。物体上に於いて一つの直線路経に沿って多数のねじをねじ込みたいとき、やはりまず物体上に於いて一つの直線を描くことが必要で、そして、電動ドライバーで以って直線に沿って予め定められた間隔で物体上にねじをねじ込む。このような流れは作業時間を消費し、また、作業効率が良くない。
【考案の開示】
【考案が解決しようとする課題】
【０００３】
これを鑑み、本考案の主要な目的は、一種の電動工具を提供することにあり、それは、一つの作業効率を上げることができるものである。
【課題を解決するための手段】
【０００４】
上述の目的を達成するため、本考案の電動工具は、一つのシェルボディと、シェルボディ内に設けられた一つの駆動装置と、駆動装置と連結されて駆動装置の駆動を受けて回転することのできる一つのツール挟み持ち装置と、シェルボディ上に於いて設けられている一つの光投射装置とを有している。そのうち、光投射装置は一つの平面上で一つの線形の光を投射することができ、且つ光投射装置の光投射方向はツール挟み持ち装置の挟み持つ一つのツールの指す方向に向いている。これにより、使用者は、光投影に沿って作業を進めることができる。
【考案を実施するための最良の形態】
【０００５】
本考案を更にはっきりと説明するため、ここに本考案の比較的優れた実施例並びに下記図示を組み合わせて詳細に説明する。
図１は、本考案の一つの比較的優れた実施例の外観の平面図である。
【０００６】
図２は、図１の示す実施例の部分部品の分解斜視図である。
図３は、図１を３−３線で切断した断面図である。
図４〜図７は、図１の示す実施例の作動を示す模式図である。
【０００７】
図１〜図３及び図５を御覧ください。本考案の比較的優れた一実施例による電動工具１は、一つのシェルボディ１０、一つの駆動装置２０、一つのツール挟み持ち装置３０、一つの電池蓋４０及び一つの光投射装置５０を含み有している。
【０００８】
シェルボディ１０は、一つの左半分シェルボディ及び一つの右半分シェルボディが組み合わされて成り立っていて、それは一つの部品収容部１１と、一つの電池接合部１３と、それぞれ部品収容部１１及び電池接合部１３と連接された一つのグリップ部１２となっている。部品収容部１１は相対する一つの前端１１１及び一つの後端１１２を有していて、且つ後端１１２は一つの円形の開き口１１３を有している。そのほか、部品収容部１１の内壁上に開き口１１３の両側の相対する位置のところに接近してそれぞれ一つの位置決めばね片１４が固定されていて、且つそれらの位置決めばね片１４は一つの凸部１４１を有している。
【０００９】
駆動装置２０は、主に、部品収容部１１の中に設けられた一つのモーター２１、一つの変速ギヤユニット２２及びグリップ部１２中に設けられた一つの制御スイッチ２３を含んでいる。そのうち、変速ギヤユニット２２はモーター２１の出力端に連接されていて、モーター２１の出力する回転動作を受け、変速した後、出力する。スイッチ２３は、モーター２１の制動を制御する。
【００１０】
ツール挟み持ち装置３０は、ドリルヘッドなどのツールを挟み持つのに用いられ、その一部分はシェルボディ１０の内部に於いて変速ギヤユニット２２の出力端に連接されていて、その残りの部分は部品収容部１１の前端１１１に挿入されており、変速ギヤユニット２２の駆動回転を受けることができる。
【００１１】
電池蓋４０は、シェルボディ１０の接合部１３に結合され、スイッチ２３を経て電源をモーター２１に供給することに用いられる。
光投射装置５０は、一つのベース部５１、一つの結合ベース５２、一つのレーダー発射器５３、一つの第一組の磁石ユニット５５及び一つの第二組の磁石ユニット５６を含み有している。
【００１２】
ベース部５１は、一つのメインボディ５１１と、一つの円柱状の位置決め部５１２と、位置決め部５１２とメインボディ５１１を連接する首部５１３とを備えていて、且つ首部５１３は円柱状を呈していて、その直径は位置決め部５１２の直径よりも小さい。位置決め部５１２はその周壁上に於いて等間隔に分布されて凹み設けられた４個の位置決め溝５１４を有していて、メインボディ５１１は一つの結合溝５１５を有している。ベース部５１は首部５１３で以ってシェルボディ１０の開き口１１３上で結合され、位置決め部５１２はシェルボディ１０内に位置し、且つ位置決め部５１２の周壁はそれら二つの位置決めばね片１４の凸部１４１を押していて、図３に示すようになっている。ベース部５１のメインボディ５１１は、シェルボディ１０の外に位置している。
【００１３】
結合ベース５２は、一つの結合ボディ５２１と、結合ボディ５２１の一つの側部に位置している一つの収容ボディ５２２とを含み有している。結合ボディ５２１は一つの結合面５２３を備え、結合面５２３上には一つの突起した結合凸部５２４を有している。収容ボディ５２２は一つのレーダー発射出口５２５を有していて、且つレーダー発射出口５２５の向く方向は結合面５２３の向く方向と同じである。
【００１４】
レーダー発射器５３は、収容ボディ５２２内に設けられている一つのレーダー灯５３１と、レーダー発射出口５２５のところに設けられている一組の偏光レンズ５３２と、結合ボディ５２１内に設けられている一つの電気回路板５３３及び一組の電池ユニット５３４と、結合ボディ５２１上に設けられている一つのプッシュ式スイッチ５３５とを含み有している。そのうち、偏光レンズ５３２ユニットはレーダー灯５３１が生み出すレーダー光を偏折して一つの面状の光の束を発射出口５２５から射出するのに用いられ、その光の束が一つの平面に投射されるとき、一つの線状の光を投影することを生み出すことができる。その光の投影は偏光レンズ５３２ユニットの同じではない設計及び同じではない線状により、曲弧線或いは直線などとなり、本実施例に於いては、その光投影は一つの直線となる。
【００１５】
第一組の磁石ユニット５５は、一つの大きな磁石５５１及び一つの小さな磁石５５２を含み、それぞれメインボディ５１１上に於いてそれぞれが結合溝５１５の溝面上から露出した一つの接触面より埋め込まれている。第二組の磁石ユニット５６は、一つの大きな磁石５６１及び一つの小さな磁石５６２を含み、それぞれ結合ボディ５２１上に於いてそれぞれが結合凸部５２４の凸面上から露出した一つの接触面より埋め込まれている。また、二つの磁石ユニット５５と磁石ユニット５６は、それぞれメインボディ５１１と結合ボディ５２１上の配列方式が相反している。
【００１６】
このように、結合ベース５２の結合凸部５２４は結合溝５１５の中に於いて結合され、第一組の磁石ユニット５５の大きな磁石５５１と小さな磁石５５２は第二組の磁石ユニット５６の小さな磁石５６２と大きな磁石５６１とお互いに引きつけあい、結合ベース５２をベース部５１上に結合させ、並びに結合ベース５２の収容ボディ５２２はメインボディ５２１の一側に位置していて、レーダー発射出口５２５の方向は電動工具のツール挟み持ち装置３０の挟み持つツールの指す方向となり、それは図４に示すようになっている。
【００１７】
図４〜図７を参考に説明する。本実施例の電動工具１を一つの平面２で使用し、壁面などで多くの孔のドリル作業進める際、光投射装置５０を多くの孔を直線配列照準させるのに使用することができる。即ち、光投射装置５０の結合ベース５２をベース部５１上よりまず取り外し、並びに収容ボディ５２２の方向に向って一つの距離を横移動させることで、第二組の磁石ユニット５６の大きな磁石５６１を第一組の磁石ユニット５５の大きな磁石５５１に照準させ、更に結合ベース５２がベース部５１上に於いて結合され、図６及び図７に示すように、この時、収容ボディ５２２とシェルボディ１０との間には一つの適当な距離が生まれ、レーダー発射器５３の発射する面状の光の束がシェルボディ１０による遮断を避けることができるのである。更にレーダー発射器５３のスイッチ５３５を押すと、レーダー発射器５３がレーダー発射出口５２５から発射する光の束をツール挟み持ち装置３０の挟み持つツール６０の指向方向に向うものとし、並びに平面２上に形成された一つの直線状の光の投影により、使用者はこの一つの光の投影に沿って必要な孔をドリルすることができ、並びにこの一つの光の投影で以って照準の依拠とし、全てのドリルされる孔は整然と直線配列を呈するのである。同じ状況で、もし光投射装置が作業平面上に投射する光の投影が曲弧線ならば、即ち、曲弧線によって整然と曲弧配列された孔がドリルされるのである。
【００１８】
更に図３について説明する。光投射装置５０のベース部５１はシェルボディ１０上に於いて回転することができ、且つ円柱状位置決め部５１２上の位置決め溝５１４は二つの位置決めばね片１４の凸部１４１と結合していて、ベース部５１は９０度回転する毎にシェルボディ１０と位置決め効果を生み出す。これにより、光投射装置５０の収容ボディ５２はそれぞれシェルボディ１０の両側及び上側に位置し、即ち、レーダー発射器５３はそれぞれシェルボディ１０の両側及び上側に於いてシェルボディ１０の水平面状に光の束及び垂直面状の光の束を相対発射することができ、並びにそれぞれ平面２上に於いて水平線状の投影及び垂直線状の投影を投射できる。
【図面の簡単な説明】
【００１９】
【図１】本考案の一実施例による電動工具の外観を示す平面図である。
【図２】本考案の一実施例による電動工具の部品を示す分解斜視図である。
【図３】図１を３−３線で切断した断面図である。
【図４】本考案の一実施例による電動工具を示す上面図である。
【図５】本考案の一実施例による電動工具の結合ベースを示す模式図である。
【図６】本考案の一実施例による電動工具の作動を示す上面図である。
【図７】本考案の一実施例による電動工具の結合ベースを示す模式図である。
【符号の説明】
【００２０】
１  電動工具、２  平面、１０  シェルボディ、１１  部品収容部、１２  グリップ部、１３  電池接合部、１４  位置決めばね片、２０  駆動装置、２１  モーター、２２  変速ギヤユニット、２３  制御スイッチ、３０  ツール挟み持ち装置、４０  電池蓋、５０  光投射装置、５１  ベース部、５２  結合ベース、５３  レーダー発射器、５５  第一組の磁石ユニット、５６  第二組の磁石ユニット、６０  ツール、１１１  前端、１１２  後端、１１３  開き口、１４１  凸部、５１１  メインボディ、５１２  円柱状位置決め部、５１３  首部、５１４  位置決め槽、５１５  結合槽、５２１  結合ボディ、５２２  収容ボディ、５２３  結合面、５２４  結合凸部、５２５  レーダー発射出口、５３１  レーダー灯、５３２  偏光レンズ、５３３  電気回路板、５３４  電池ユニット、５３５  プッシュ式スイッチ、５５１  大きな磁石、５５２  小さな磁石、５６１  大きな磁石、５６２小さな磁石
【図１】
0003109627.tif 000003
【図２】
0003109627.tif 000004
【図３】
0003109627.tif 000005
【図４】
0003109627.tif 000006
【図５】
0003109627.tif 000007
【図６】
0003109627.tif 000008
【図７】
0003109627.tif 000009